(57)【要約】【課題】プリズムアレイ又はレンズアレイの輝度ムラを低減する。【解決手段】本発明の光学部品１０は、第１及び第２主面を備え、前記第１主面には、間に隙間を空けて規則的に又は不規則に配列し、各々がレンズ又はプリズムを構成している複数の第１凸部１と、前記隙間を埋めており、各々が前記第１凸部１と比較して高さがより低いレンズ又はプリズムを構成している複数の第２凸部２とが設けられていることを特徴とする。【選択図】      図１
2010085847.tif 000002
【特許請求の範囲】
【請求項１】
第１及び第２主面を備え、前記第１主面には、間に隙間を空けて規則的に又は不規則に配列し、各々がレンズ又はプリズムを構成している複数の第１凸部と、前記隙間を埋めており、各々が前記第１凸部と比較して高さがより低いレンズ又はプリズムを構成している複数の第２凸部とが設けられていることを特徴とする光学部品。
【請求項２】
第１及び第２主面を備え、前記第１主面には、間に隙間を空けて規則的に又は不規則に配列し、各々がレンズ又はプリズムを構成している複数の第１凸部と、前記隙間を埋めており、光散乱構造又は回折構造を構成している複数の第２凸部とが設けられていることを特徴とする光学部品。
【請求項３】
前記複数の第１凸部の各々はレンズを構成していることを特徴とする請求項１又は２に記載の光学部品。
【請求項４】
前記複数の第１凸部は規則的に配列していることを特徴とする請求項１乃至３の何れか１項に記載の光学部品。
【請求項５】
前記複数の第１凸部は不規則に配列していることを特徴とする請求項１乃至３の何れか１項に記載の光学部品。
【請求項６】
前記複数の第１凸部は前記第１主面に平行な方向に延びた形状を有している第１凸部を複数含み、これら第１凸部の長さ方向は前記第１主面に平行な一方向に揃っていることを特徴とする請求項１乃至５の何れか１項に記載の光学部品。
【請求項７】
透明材料と、前記透明材料中に分散し、前記透明材料とは屈折率が異なる複数の透明粒子とを含んだことを特徴とする請求項１乃至６の何れか１項に記載の光学部品。
【請求項８】
請求項１乃至７の何れか１項に記載の光学部品と、
前記光学部品を前記第２主面側から照明する光源と
を具備したことを特徴とするバックライトユニット。
【請求項９】
請求項８に記載のバックライトユニットと、前記光学部品を間に挟んで前記光源と向き合った表示パネルとを具備したことを特徴とする表示装置。
【発明の詳細な説明】
【技術分野】
【０００１】
本発明は、表示技術に関する。
【背景技術】
【０００２】
特許文献１には、複数のプリズムを配列してなるプリズムアレイが記載されている。特許文献２には、複数のレンズを配列してなるレンズアレイが記載されている。プリズムアレイ又はレンズアレイは、例えば、拡散光の広がり角を最適化するのに使用されている。
【特許文献１】特開平１０−２４６８０５号公報
【特許文献２】特開２００６−３０１５２８号公報
【発明の開示】
【発明が解決しようとする課題】
【０００３】
プリズムアレイには、プリズム間に隙間を有しているものがある。また、レンズアレイでは、各レンズを例えば半球形状とした場合、レンズ間に隙間を生じる。
【０００４】
この隙間の位置では、プリズム又はレンズによる光の屈折は生じない。そのため、プリズム又はレンズに対応した位置と隙間に対応した位置との間で輝度の差を生じる。  
本発明は、プリズムアレイ又はレンズアレイの輝度ムラを低減することを目的とする。
【課題を解決するための手段】
【０００５】
本発明の第１側面によると、第１及び第２主面を備え、前記第１主面には、間に隙間を空けて規則的に又は不規則に配列し、各々がレンズ又はプリズムを構成している複数の第１凸部と、前記隙間を埋めており、各々が前記第１凸部と比較して高さがより低いレンズ又はプリズムを構成している複数の第２凸部とが設けられていることを特徴とする光学部品が提供される。
【０００６】
本発明の第２側面によると、第１及び第２主面を備え、前記第１主面には、間に隙間を空けて規則的に又は不規則に配列し、各々がレンズ又はプリズムを構成している複数の第１凸部と、前記隙間を埋めており、光散乱構造又は回折構造を構成している複数の第２凸部とが設けられていることを特徴とする光学部品が提供される。
【０００７】
本発明の第３側面によると、第１又は第２側面に係る光学部品と、前記光学部品を前記第２主面側から照明する光源とを具備したことを特徴とするバックライトユニットが提供される。
【０００８】
本発明の第４側面によると、第３側面に係るバックライトユニットと、前記光学部品を間に挟んで前記光源と向き合った表示パネルとを具備したことを特徴とする表示装置が提供される。
【発明の効果】
【０００９】
本発明によると、プリズムアレイ又はレンズアレイの輝度ムラを低減することが可能となる。
【発明を実施するための最良の形態】
【００１０】
以下、本発明の態様について、図面を参照しながら詳細に説明する。なお、同様又は類似した機能を発揮する構成要素には全ての図面を通じて同一の参照符号を付し、重複する説明は省略する。
【００１１】
図１は、本発明の一態様に係る光学部品を概略的に示す断面図である。  
図１に示す光学部品１０は、光透過層３と複数の第１凸部１と複数の第２凸部２とを含んでいる。この光学部品１０の光透過層３側の主面は、背面又は光入射面である。他方、この光学部品１０の凸部１及び２側の主面は、前面又は光射出面である。
【００１２】
光透過層３は、光透過性を有している層である。光透過層３は、透明であってもよく、光散乱性を有していてもよい。
【００１３】
第１凸部１は、光透過層３に支持されている。具体的には、凸部１は、光透過層の前面上で、間に隙間を空けて二次元的に配列している。凸部１は、規則的に配列していてもよく、不規則に配列していてもよい。凸部１が光透過層３の前面に占める面積比は、例えば７５％乃至９０％の範囲内にある。
【００１４】
凸部１は、光透過性を有している。凸部１は、透明であってもよく、光散乱性を有していてもよい。
【００１５】
凸部１の各々は、レンズ又はプリズムを構成している。即ち、これら凸部１は、レンズアレイ又はプリズムアレイを構成している。レンズを構成している凸部１は、例えば、球若しくは回転楕円体の一部とほぼ等しい形状とするか、又は、円錐若しくは円錐台形状とする。また、プリズムを構成している凸部１は、例えば角錐又は角錐台形状とする。
【００１６】
凸部１は、この光学部品１０を表示装置において使用した場合に、その形状を表示画面上でその形状を判別できないことが望ましい。また、凸部１の配列が周期構造を形成している場合、表示装置が含んでいる他の構成要素の周期構造と重ねたときに干渉縞を生じないことが望ましい。凸部１の光透過層３との接触面における最小径は、例えば２０μｍ乃至１００μｍの範囲内とする。
【００１７】
光学部品１０の光学特性、例えば集光性及び視野角には、凸部１の光透過層３との接触面における最小径に対する高さの比が影響を及ぼす。この比は、例えば、０．４０乃至０．６０の範囲内とする。
【００１８】
第２凸部２は、光透過層３に支持されている。具体的には、凸部２は、凸部１間の隙間を埋めている。例えば、凸部２は、凸部１間の隙間の５０％乃至１００％を埋めている。
【００１９】
凸部２は、光透過性を有している。凸部２は、透明であってもよく、光散乱性を有していてもよい。
【００２０】
凸部２は、光散乱構造又は回折構造を構成している。或いは、凸部２は、各々が凸部１と比較して高さがより低いレンズ又はプリズムを構成している。
【００２１】
凸部２の光透過層３との接触面における最小径又は最小幅は、例えば１００ｎｍ乃至１００μｍの範囲内とする。凸部２の光透過層３との接触面における最小径又は最小幅に対する高さの比は、例えば、０．４０乃至０．６０の範囲内とする。
【００２２】
凸部１及び２の屈折率と空気の屈折率との差は、例えば０．０１以上である。この差を小さくすると、凸部１及び２による光の屈折が小さくなる。それゆえ、拡散光の広がり角を制御する効果が小さくなる。
【００２３】
なお、凸部１及び２並びに光透過層３の少なくとも一部を光散乱性とする場合、その材料として、例えば、透明材料と、これとは屈折率が異なる透明粒子との混合物を使用することができる。この場合、透明材料の屈折率と透明粒子の屈折率の差の絶対値は、例えば０．０１以上とする。
【００２４】
凸部１及び２について、更に詳しく説明する。  
図２乃至図４は、第１凸部の配置の例を概略的に示す平面図である。図５乃至図７は、第１凸部の形状の例を概略的に示す平面図である。
【００２５】
第１凸部１を規則的に配置する場合、第１凸部１の配列は、図２に示すように正方格子を形成していてもよく、図３に示すように三角格子を形成していてもよい。
【００２６】
また、凸部１を不規則に配置する場合、凸部１は、寸法が互いに等しくてもよく、図４に示すように異なっていてもよい。
【００２７】
第１凸部１は、図５に示すように、光透過層３又は光学部品１０の前面に対して垂直な軸を有する回転対称体であってもよい。例えば、凸部１は、略半球形状を有していてもよい。
【００２８】
或いは、凸部１は、図６に示すように、光透過層３又は光学部品１０の前面に対して平行な方向に延びた形状を有していてもよい。例えば、凸部１は、回転楕円体をその軸に平行な面で２分割してなる形状を有していてもよい。この場合、これら凸部１の長さ方向又は軸方向は、先の前面に平行な一方向に揃っていてもよく、不規則であってもよい。
【００２９】
或いは、凸部１は、図７に示すように、形状が異なるものを含んでいてもよい。例えば、凸部１は、略半球形状を有しているものと、回転楕円体をその軸に平行な面で２分割してなる形状を有しているものとを含んでいてもよい。この場合、回転楕円体をその軸に平行な面で２分割してなる形状を有している凸部１は、長さ方向又は軸方向が、先の前面に平行な一方向に揃っていてもよく、不規則であってもよい。
【００３０】
凸部１の長さ方向又は軸方向が一方向に揃っている場合、この長さ方向又は軸方向と凸部１の幅方向との間で、拡散光の広がり角を異ならしめることができる。例えば、長さ方向又は軸方向を水平方向に揃えると、水平方向における拡散光の広がり角は、垂直方向における拡散光の広がり角と比較してより大きくなる。
【００３１】
図８乃至図１２は、第２凸部に採用可能な構造の例を概略的に示す平面図である。  
図８では、第２凸部２は、回折格子を構成している。なお、回折格子の格子定数は、凸部１のピッチと比較して遥かに小さい。従って、図８には、凸部２を表示していない。
【００３２】
図９では、凸部２は、レンズを構成している。各凸部２は、略半球形状を有している。凸部２の配列は、六角格子を形成している。
【００３３】
図１０では、凸部２は、光散乱構造を構成している。凸部２は、凸部１と比較して遥かに小さく、不規則に配列している。
【００３４】
図１１では、凸部２は、プリズムを構成している。各プリズムは、四角錐形状を有している。
【００３５】
図１２では、凸部２は、シリンドリカルレンズ又はレンチキュラを構成している。凸部２は、長さ方向が平行であり、幅方向に配列している。
【００３６】
この光学部品１０では、凸部１間の隙間に凸部２が配置されている。それゆえ、光学部品１０の背面を照明した場合、光学部品１０のほぼ全面に亘って照明光を屈折させることができる。即ち、この光学部品１０は、輝度ムラを生じ難い。
【００３７】
この光学部品１０は、例えば、押出し成形及び射出成形などの成形によって得ることができる。例えば、ガラス転移温度以上に加熱した熱可塑性樹脂と金型とを密着させて金型から樹脂層へとレリーフ構造を転写し、これを冷却する。或いは、紫外線硬化樹脂に金型を密着させた状態で、樹脂に紫外線を照射する。
【００３８】
この方法によると、例えば、光透過層３と凸部１及び２とを同時に形成することができる。この場合、先の樹脂として、透明樹脂とこれとは屈折率が異なる透明粒子とを含んだ混合物を使用すれば、凸部１及び２と光透過層３との各々を光散乱性とすることができる。
【００３９】
また、この方法によると、光透過層３を基材として使用して、この光透過層３上に凸部１及び２を形成することができる。この場合、先の樹脂として、透明樹脂とこれとは屈折率が異なる透明粒子とを含んだ混合物を使用すれば、凸部１及び２の各々を光散乱性とすることができる。
【００４０】
なお、金型は、例えば、以下の方法により得られる。まず、金属板の銅鍍金層上に、樹脂、例えばカーボンブラックと樹脂とを含んだラッカーを噴霧して、厚さが約５μｍのラッカー層を得る。次に、このラッカー層に波長が１０６０ｎｍの赤外線レーザビームで描画して、ラッカー層の露光部を昇華させる。その後、この金属板を塩化鉄クロム酸溶液に浸漬して、深さ方向と幅方向とに腐食を拡大させる。これにより、凸部１に対応した凹部を形成する。更に、この金属板を例えばダイヤモンドバイトを用いて切削することにより、凸部２に対応した凹部を形成する。以上のようにして、光学部品１０の製造に利用可能な金型を得る。
【００４１】
次に、光学部品１０の材料について説明する。  
光学部品１０の材料としては、例えば、プラスチックなどの樹脂を使用することができる。この樹脂としては、例えば、ポリエステル樹脂、アクリル樹脂、ポリカーボネート樹脂、ポリスチレン樹脂、ＭＳ（スチレン−メチルメタクリレート共重合体）樹脂、ポリメチルペンテン樹脂及びシクロオレフィンポリマーなどの熱可塑性樹脂、又は、ポリエステルアクリレート、ウレタンアクリレート及びエポキシアクリレートなどのオリゴマー若しくはアクリレートを含んだ放射線硬化性樹脂を使用することができる。
【００４２】
この樹脂と透明粒子とを混合して使用してもよい。透明粒子としては、無機粒子、有機粒子又はそれらの組み合わせを使用することができる。無機粒子の材料としては、例えば、シリカ、アルミナ及び酸化チタンなどの無機酸化物を使用することができる。有機粒子の材料としては、アクリル樹脂、ポリスチレン樹脂、ＭＳ樹脂、メラミンホルムアルデヒド樹脂、ＰＴＦＥ（ポリテトラフルオロエチレン）、ＰＦＡ（ペルフルオロアルコキシ樹脂）、ＦＥＰ（テトラフルオロエチレン−ヘキサフルオロプロピレン共重合体）、ＰＶＤＦ（ポリフルオロビニリデン）及びＥＴＦＥ（エチレン−テトラフルオロエチレン共重合体）などの含フッ素ポリマー、又はシリコーン樹脂を使用することができる。これら透明粒子は、２種類以上を混合して使用してもよい。
【００４３】
この光学部品１０は、例えば、以下の表示装置において使用することができる。  
図１３は、図１に示す光学部品を含んだ表示装置の一例を概略的に示す断面図である。
【００４４】
この表示装置１００は、バックライト２０と、光学素子３０と、液晶表示パネル５０とを含んでいる。バックライト２０は照明光を放射し、この照明光は、光学シートを透過して、液晶表示パネル５０に入射する。液晶表示パネル５０の透過率は図示しないコントローラによって画素毎に制御可能であり、これにより、この表示装置１００は画像を表示する。なお、バックライト２０と光学素子３０とは、バックライトユニットを構成している。
【００４５】
バックライト２０は、複数の光源８と反射層９とを含んでいる。  
光源８の各々は、紙面の奥行き方向に延びた複数の線光源、例えば蛍光灯又は冷陰極管（ＣＣＦＬ）である。光源８は、光学素子３０を間に挟んで液晶表示パネル５０の背面と向き合っている。
【００４６】
光源８として、点光源又は面光源を使用してもよい。例えば、光源８として、ＬＥＤ（light-emitting diode）、ＥＬ（electroluminescent）素子又は半導体レーザを使用してもよい。
【００４７】
反射層９は、光源８の背面側に設置されている。反射層９は、光源８が背面側に射出した光を前面側に反射して、光学素子３０の背面に入射させる。典型的には、反射層９は、光散乱性を有している。
【００４８】
光学素子３０は、バックライト２０と液晶表示パネル５０との間に設置されている。光学素子３０は、拡散板５と光学部品１０とを含んでいる。
【００４９】
拡散板５は、バックライト２０の前方に設置されている。拡散板５は、バックライト２０が前面側に放射した光を拡散させる。
【００５０】
拡散板５には、光学部品１０を支持する支持体としての役割を更に担わせることができる。この場合、拡散板５の厚さは、例えば、１ｍｍ乃至５ｍｍの範囲内とする。
【００５１】
拡散板５は、典型的には平板形状を有している。拡散板５は、例えば、使用する筐体に合わせて、他の形状を有していてもよい。或いは、拡散板５には、光学特性改善のために、その前面及び／又は背面に例えばレンズ又はプリズムとして機能する凸部又は凹部を設けてもよい。なお、そのような金型は、例えば、押出し成形及び射出成形などの成形に際して金型を使用することにより得られる。
【００５２】
拡散板５は、透明樹脂とこの透明樹脂の中に分散された粒子又は気体とを含んでいる。透明樹脂と粒子又は気体とは、屈折率が異なっている。例えば、透明樹脂と粒子又は気体との屈折率の差の絶対値は、０．０１以上とする。
【００５３】
この透明樹脂としては、例えば、ポリカーボネート樹脂、アクリル系樹脂、フッ素系アクリル樹脂、シリコーン系アクリル樹脂、ＭＳ樹脂、エポキシアクリレート樹脂、ポリスチレン樹脂、シクロオレフィンポリマー、メチルスチレン樹脂、フルオレン樹脂、ＰＥＴ（ポリエチレンテレフタレート）又はポリプロピレンを使用することができる。また、この粒子の材料としては、例えば、光学部品５について例示した材料を使用することができる。粒子の粒径は、例えば０．１μｍ乃至１０μｍとする。
【００５４】
拡散板５は、単層構造を有していてもよく、多層構造を有していてもよい。後者の場合、拡散板５は、透明樹脂の種類並びに粒子の種類、粒径及び含有量の１つ以上が異なる複数の層を含んでいてもよい。
【００５５】
光学部品１０は、拡散板５と液晶表示パネル５０との間に、凸部１及び２が液晶表示パネル５０と向き合うように設置されている。光学部品１０は、上記の通り、拡散板５が射出する拡散光の広がり角を最適化すると共に、輝度ムラを抑制する。
【００５６】
なお、図１３には、光学素子３０が拡散板５及び光学部品１０のみで構成された例を描いているが、光学素子３０は、更に他の光学要素を含むことができる。例えば、光学素子３０は、光学素子３０の前面側及び／又は背面側に、レンズシート、拡散シート及び偏光シートなどの他の光学要素を更に含んでいてもよい。
【００５７】
液晶表示パネル５０は、透過型又は半透過型液晶表示パネルである。液晶表示パネル５０は、液晶セル７と、これを挟んだ一対の偏光板６とを含んでいる。上記の通り、液晶表示パネル５０の透過率は図示しないコントローラによって画素毎に制御可能であり、これにより、この表示装置１００は画像を表示する。
【００５８】
図１３に示す表示装置１００には、様々な変形が可能である。  
図１４は、図１に示す光学部品を含んだ表示装置の他の例を概略的に示す断面図である。図１４に示す表示装置１００は、以下の構成を採用したこと以外は、図１３を参照しながら説明した表示装置１００と同様である。即ち、この表示装置１００では、光学素子３０は光学部品１０を２つ含んでいる。これら光学部品１０は、一方の光学部品１０が他方の光学部品１０と表示パネル５０との間に位置し、且つ、凸部１及び２が表示パネル５０と向き合うように配置されている。このように、表示装置１００においては、光学部品１０を複数使用してもよい。
【００５９】
次に、光学部品の光学的機能について、図１５乃至図１７を参照しながら説明する。  
図１５は、比較例に係る光学部品の光学的機能を概略的に示す図である。図１６は、図１１に示す光学部品の光学的機能を概略的に示す図である。図１７は、図１０に示す光学部品の光学的機能を概略的に示す図である。
【００６０】
図１５に示す光学部品１０’は、凸部２が設けられていないこと以外は、図１６及び図１７に示す光学部品１０と同様である。
【００６１】
拡散板５が射出した拡散光Ｌ０を図１５に示す光学部品１０’の背面に入射させると、凸部１を透過する光線Ｌ１及びＬ２は、空気層との界面で略正面方向に屈折する。凸部１間の隙間をほぼ法線方向へと通過する光線Ｌ３は、光線Ｌ１及びＬ２とは異なり、凸部１による屈折なしに光学部品１０から射出される。この光線Ｌ３が輝度ムラを生じさせる。また、凸部１間の隙間を斜め方向に通過する光線Ｌ４は、この隙間と隣接している凸部１の内部で２回屈折し、広角側に射出される。
【００６２】
図１６に示すようにプリズムを構成している凸部２を設けた場合、凸部１間の隙間に斜め方向から入射した光線Ｌ５は、凸部２と空気層との界面で略正面方向へと屈折する。また、凸部１間の隙間にほぼ法線方向から入射した光線Ｌ６は、凸部２と空気層との界面で２回屈折し、背面側へと戻る。この戻り光の少なくとも一部は、光学部品１０の背面側に配置された部材によって反射され、再び、照明光として光学部品１０に入射する。
【００６３】
図１７に示すように光散乱構造を構成している凸部２を設けた場合、凸部１間の隙間に斜め方向から入射した光線Ｌ７及びＬ８は、凸部２が構成している光散乱構造によって散乱し、光学部品１０から前面側へと射出される。
【００６４】
このように凸部２を凸部１間の隙間に設けると、凸部１間の隙間に対応した部分が他の部分と比較してより明るく見えるのを防止又は抑制できる。また、凸部２を適宜設計することにより、正面輝度及び視野角などの光学特性を調整することができる。
【実施例】
【００６５】
以下、本発明の例を説明する。  
＜光学部品の製造＞
押出成形用シリンダの円筒面に銅鍍金を施し、この鍍金面を滑らかに加工した。このシリンダをレーザ製版機に搭載し、樹脂にカーボンを分散させてなるラッカーを、スプレーコータを用いて鍍金面上に５μｍの厚さに塗布した。この塗膜に波長が１０６０ｎｍのレーザビームを照射した。レーザビームは、三角格子の格子点に対応した位置に照射した。塗膜の照射部ではラッカーのアブレーションを生じ、その結果、三角格子状に配列した円形の開口が形成された。
【００６６】
次に、このシリンダをエッチング溶液中に浸漬させた。なお、浸漬中、シリンダは回転させ続けた。これにより、ラッカー層の開口に対応した位置で銅層を腐食させ、略半球形状の第１凹部を形成した。
【００６７】
銅層からラッカー層を除去した後、このシリンダを精密切削機に搭載し、ダイヤモンドバイトを用いて銅層に略半球形状の第２凹部を形成した。各第２凹部は、正三角形状に配置された３つの第１凹部の中心に位置するように形成した。以上のようにして、金型を得た。
【００６８】
次に、ＰＥＴからなる厚さが１８８μｍの光透過層（東洋紡績社製Ａ４３００）上に、紫外線硬化樹脂であるウレタンアクリレート（日本化薬社製ＫＡＹＡＲＡＤ）を塗布した。この塗膜に先の金型を密着させた状態で、光透過層を介して塗膜に紫外線を照射し、樹脂を硬化させた。紫外線の露光量は１０００ｍＪ/ｃｍ3とした。その後、光透過層を樹脂層と共に金型から剥離した。
【００６９】
以上のようにして、光学部品を得た。また、上述したのと同様の方法により、第１凹部の専有面積並びに第２凹部の形状、寸法及び専有面積の少なくとも１つが異なる金型を製造し、これら金型を用いて光学部品を製造した。以下の表１に、ここで製造した光学部品の構造を纏める。
【表１】
2010085847.tif 000003
【００７０】
なお、表１において、「幅／径」は、第１凸部の光透過層との接触面における最小径又は最小幅を意味している。「面積比」は、第１又は第２凸部が光透過層の前面に占める面積比を意味している。そして、「寸法比」は、「高さ」の「幅／径」に対する比を意味している。
【００７１】
＜光学部品の性能評価＞
表１に示す光学部品の各々を図１３に示す表示装置１００に組み込んで、正面輝度と輝度ムラとを評価した。ここでは、拡散板５としては住友化学社製のＲＭ７２１を使用し、液晶表示パネル５０としてはシャープ社製のＬＣ−３２ＧＸ５を使用した。そして、表示装置１００を１時間点灯した後、これに白色画像を表示させ、画面中心部の輝度をトプコン社製の輝度測定装置ＢＭ−７を用いて正面方向から測定した。この輝度を正面輝度とした。また、表示ムラに関しては、表示装置１００に白色画像を表示させ、正面方向であって、画面から２ｍ離れた位置から、輝度ムラの程度を目視によって確認した。これらの結果を、表１に纏める。
【００７２】
なお、表１には、正面輝度を相対値で示している。また、輝度ムラの欄には、輝度ムラを生じなかったサンプルについては記号「○」を表示し、無視できるレベルの輝度ムラを生じたサンプルについては記号「△〜○」を表示し、問題とならないレベルではあるが記号「△〜○」を表示したサンプルよりは目立つ輝度ムラを生じたサンプルについては記号「△」を表示し、問題となるレベルの輝度ムラを生じたサンプルについては記号「×」を表示している。そして、総合評価の欄には、正面輝度及び輝度ムラの双方を鑑みて、最も性能が良かったサンプルについては記号「○」を表示し、これに次ぐ性能のサンプルについては記号「△〜○」を表示し、これに次ぐ性能のサンプルについては記号「△」を表示し、最も性能が悪かったサンプルについては記号「×」を表示している。
【００７３】
表１に示すように、サンプルＢ乃至Ｈを使用した場合、サンプルＡを使用した場合ほどの輝度ムラを生じていない。これから、第２凸部は輝度ムラの抑制に寄与していることが分かる。
【００７４】
また、サンプルＢ乃至Ｆ及びＨを使用した場合、サンプルＡを使用した場合と同等以上の正面輝度を達成できた。なお、サンプルＧを使用した場合に正面輝度は、サンプルＡを使用した場合に得られた正面輝度よりも低いが、実用上の問題を生じるほど低い訳ではない。
【００７５】
サンプルＢ乃至Ｄを使用した場合に得られた結果の比較から明らかなように、第１凸部の面積比を大きくし、これに伴って第２凸部の面積比を小さくすると、正面輝度が高くなった。即ち、視野角が狭くなった。このように、第１及び第２凸部の面積比を変更することにより、正面輝度及び視野角を調節することができた。
【図面の簡単な説明】
【００７６】
【図１】本発明の一態様に係る光学部品を概略的に示す断面図。
【図２】第１凸部の配置の一例を概略的に示す平面図。
【図３】第１凸部の配置の他の例を概略的に示す平面図。
【図４】第１凸部の配置の更に他の例を概略的に示す平面図。
【図５】第１凸部の形状の一例を概略的に示す平面図。
【図６】第１凸部の形状の他の例を概略的に示す平面図。
【図７】第１凸部の形状の更に他の例を概略的に示す平面図。
【図８】第２凸部に採用可能な構造の一例を概略的に示す平面図。
【図９】第２凸部に採用可能な構造の他の例を概略的に示す平面図。
【図１０】第２凸部に採用可能な構造の更に他の例を概略的に示す平面図。
【図１１】第２凸部に採用可能な構造の更に他の例を概略的に示す平面図。
【図１２】第２凸部に採用可能な構造の更に他の例を概略的に示す平面図。
【図１３】図１に示す光学部品を含んだ表示装置の一例を概略的に示す断面図。
【図１４】図１に示す光学部品を含んだ表示装置の他の例を概略的に示す断面図。
【図１５】比較例に係る光学部品の光学的機能を概略的に示す図。
【図１６】図１１に示す光学部品の光学的機能を概略的に示す図。
【図１７】図１０に示す光学部品の光学的機能を概略的に示す図。
【符号の説明】
【００７７】
１…第１凸部、２…第２凸部、３…光透過層、５…拡散板、６…偏光板、７…液晶セル、８…光源、９…反射層、１０…光学部品、２０…バックライト、３０…光学素子、５０…液晶表示パネル、１００…表示装置。
【図１】
2010085847.tif 000004
【図２】
2010085847.tif 000005
【図３】
2010085847.tif 000006
【図４】
2010085847.tif 000007
【図５】
2010085847.tif 000008
【図６】
2010085847.tif 000009
【図７】
2010085847.tif 000010
【図８】
2010085847.tif 000011
【図９】
2010085847.tif 000012
【図１０】
2010085847.tif 000013
【図１１】
2010085847.tif 000014
【図１２】
2010085847.tif 000015
【図１３】
2010085847.tif 000016
【図１４】
2010085847.tif 000017
【図１５】
2010085847.tif 000018
【図１６】
2010085847.tif 000019
【図１７】
2010085847.tif 000020